(57)【要約】【課題】エレベータに載せることが可能な車幅にし、容易に屋上などの陳列位置に移動するとともに、販売や調理のためのスペースを容易かつ迅速に確保する移動自動車を提供することにある。【解決手段】箱形の車体を、内側の固定ボディと、該固定ボディの外側に配された可動ボディとによって二重構造で形成し、前記可動ボディを、いずれか一方のサイド、フロント、リア、およびルーフによって一体に形成した。そして、前記固定ボディの内側に、車幅方向に延びるレールを設け、該レールに摺動されたスライド部材により前記可動ボディの内側に、スライド可能に取り付け、移動時などの格納時、車体は小さな車幅状態に保ち、可動ボディを車幅方向の外側にスライドさせ、商品陳列時などの展開時、スライド部材によって、可動ボディを外方にスライドさせて車幅を拡げるようにした。【選択図】図２
2019094060.tif 000002
【特許請求の範囲】
【請求項１】
車体が固定ボディと、該固定ボディの外側に配された可動ボディとによって二重構造に形成され、前記可動ボディがフロント、リア、ルーフ、およびいずれか一方のサイドのパネルによって一体に形成された移動販売車であって、前記固定ボディと前記可動ボディとが車幅の方向に可動する可動部にて連結され、該可動部は固定ボディのフロントパネル及びリアパネルの内側に設けるレールと、該レールの長手方向に沿ってスライド可能に設けるスライド部材とからなり、該スライド部材の先端部が前記可動ボディに固着されてなり、前記可動ボディは前記固定ボディと略同形に形成され、移動時などの車体格納時に前記固定ボディの上に重ねた状態で格納されることにより、小さな車幅を維持するとともに、商品の陳列や調理などの車体拡開時に、前記可動ボディを前記固定ボディに対して車幅方向にスライドさせることにより、車幅を拡大して、自動車の内部スペースを拡大することを特徴とする移動販売車。
【請求項２】
前記先端部が拡大されて形成され、拡大された先端部にて前記スライド部材が前記可動ボディに固着されることを特徴とする請求項１に記載の移動販売車。
【請求項３】
前記スライド部材は、電気自動車用モータに接続され、該モータの駆動によって、前記可動ボディを車幅方向にスライドさせることを特徴とする請求項１又は請求項２に記載の移動販売車。
【請求項４】
前記スライド部材は、電機自動車用モータとは別に設置される駆動源の駆動によって、前記可動ボディを車幅方向にスライドさせることを特徴とする請求項１乃至請求項３のいずれかに記載の移動販売車。
【発明の詳細な説明】
【技術分野】
【０００１】
本願発明は、イベント会場などに移動して商品の陳列や調理などを行う移動販売車に関し、特に、屋上などの場所に移動し、商品の陳列や調理などを行うために車幅や車高を可変にする移動販売車の改良に関する。
【背景技術】
【０００２】
従来、この種の移動販売車として、例えば、特許文献１や特許文献２が知られている。特許文献１は、箱型車体の荷台より一側方向に、内箱型調理囲いを、伸縮支持枠を介して側方にスライド自在に引出し又は格納可能に設けるとともに、箱形車体の商品提供台が臨む他側方向の軒部に、天板を伸縮支持枠を介してスライド自在に引出し又は格納可能に設け、内側調理囲いと天板を展開する移動販売車を開示している。
【０００３】
また、特許文献２は、荷箱車体のルーフ部を昇降させる昇降機構を設け、この昇降機構によってルーフ部を上昇させ、荷箱本体内で立ち姿勢で作業を行える移動販売車で、左右両側壁の少なくともいずれか一方の側壁を開閉可能に設け、昇降機構によりルーフ部を上方に移動しかつ側壁を開いたとき作業者と顧客との間の視界を遮る部材を介在しないようにした移動販売車を開示している。
【先行技術文献】
【特許文献】
【０００４】
【特許文献１】特開２００１−６３４４８号公報
【０００５】
【特許文献２】特開２００４−９７６２号公報
【発明の概要】
【発明が解決しようとする課題】
【０００６】
このように、特許文献１や特許文献２には、種々のイベント会場に移動し、箱形車体の囲いの一部を拡げ、あるいはルーフ部を昇降させて、商品の陳列や調理のための空間を拡げる構成を開示している。
【０００７】
ところが、昨今のイベントは、ビルの屋上や都会の密集地などで催されることが多く、移動販売車の移動や駐車スペースの確保が難しくなっている。
【０００８】
特に、高層ビルの屋上で催されるイベントの場合、スペース的に、移動販売車をエレベータに載せることができず、移動販売車とは別に、屋上に屋台を設置し、イベント終了時には、すぐに撤去しなければならないという不便さがあった。
【０００９】
また、ビルの屋上などのイベント会場は、駐車や販売のスペースを制限され、店舗の準備時間が短いという状況があり、販売店舗の設置や撤収に要する労力と時間を小さくしたいという要望があった。
【００１０】
そこで、本願発明の目的は、車幅や車高を可変にし、エレベータに載せて屋上まで運ぶことができるようにし、かつ車体の側部をいずれか一方に拡張させることによって、商品の陳列や調理に要するスペースを十分に確保する移動販売車を提供することにある。
【００１１】
また、本願発明の他の目的は、車体の展開や格納を容易にし、低コストで、設置や撤収に要する時間や労力を小さくする移動販売車を提供することにある。
【課題を解決するための手段】
【００１２】
前記目的を達成するために、本願発明に係る移動販売車は、車体が固定ボディと、該固定ボディの外側に配された可動ボディとによって二重構造に形成され、前記可動ボディがフロント、リア、ルーフ、およびいずれか一方のサイドのパネルによって一体に形成された移動販売車であって、前記固定ボディと前記可動ボディとが車幅の方向に可動する可動部にて連結され、該可動部は固定ボディのフロントパネル及びリアパネルの内側に設けるレールと、該レールの長手方向に沿ってスライド可能に設けるスライド部材とからなり、該スライド部材の先端部が前記可動ボディに固着されてなり、前記可動ボディは前記固定ボディと略同形に形成され、移動時などの車体格納時に前記固定ボディの上に重ねた状態で格納されることにより、小さな車幅を維持するとともに、商品の陳列や調理などの車体拡開時に、前記可動ボディを前記固定ボディに対して車幅方向にスライドさせることにより、車幅を拡大して、自動車の内部スペースを拡大することを特徴とする。
また、前記先端部が拡大されて形成され、拡大された先端部にて前記スライド部材が前記可動ボディに固着されることを特徴とする。
また、前記スライド部材は、電気自動車用モータに接続され、該モータの駆動によって、前記可動ボディを車幅方向にスライドさせることを特徴とする。
さらに、前記スライド部材は、電機自動車用モータとは別に設置される駆動源の駆動によって、前記可動ボディを車幅方向にスライドさせることを特徴とする。
これにより、本願発明に係る移動販売車は、箱形の車体パネルを二重構造に形成し、展開時、スライド部材の駆動によって、可動ボディをいずれか一方の側方にスライドさせるとともに、格納時、可動ボディを固定ボディの上に格納する。
【発明の効果】
【００１３】
本願発明に係る移動販売車は、スライド部材によって、可動ボディの車幅方向のスライドによって容易かつ迅速に車体の展開および格納を行うことができる。すなわち、移動販売車は、格納時、可動ボディは固定ボディ上に載置されるので、車体の強度や剛性が高くなり、移動時の安定性が良く車幅も小さくなる。その結果、本願発明による移動販売車は、エレベータのように小さなスペースにも載せることができ、高層ビルの屋上に容易に移動させることができる。また、屋上のように、狭いスペースでも、容易に駐車することができる。よって、屋上などでのイベント会場に、移動販売車を移動させて、商品の陳列や調理などの空間を容易かつ迅速に設置することができ、また、その撤収も容易かつ迅速に行うことができる。
【００１４】
また、電気自動車用モータの停止時に、該モータの駆動を活用して、スライド部材を展開し又は格納することができ、低コストで、車体の展開や格納を容易かつ迅速に行うことができる。
【図面の簡単な説明】
【００１５】
【図１】斜め上方から眺めた移動販売車の格納時の斜視図である。
【図２】斜め上方から眺めた移動販売車の展開時の斜視図である。
【図３】移動販売車の格納時の正面図である。
【図４】移動販売車の展開時の正面図である。
【図５】ルーフ上昇時の移動販売車の正面図である。
【図６】スライド構造の部分斜視図である。
【図７】図６のVII−VII線における断面図である。
【図８】可動ボディのスライド状態を説明する部分斜視図である。
【図９】モータによるスライド部材の移動を説明する図である。
【発明を実施するための形態】
【００１６】
以下、本願発明の実施例について、図面に基づいて説明する。
【００１７】
実施例
本願発明に係る移動販売車１は、図１および図２に示すように、箱形の４輪自動車であり、左右後輪２に設けられた電気自動車用の駆動モータ３によって車両を走行するようになっている。
【００１８】
移動販売車１は、箱状に形成された車体内側の固定ボディ４の外側に、略同形に形成された可動ボディ５を備え、図１に示すように、格納時、可動ボディ５は、略同形の固定ボディ４の上に載置されている。また、可動ボディ５は、固定ボディ４の外方で車体の幅方向にスライド自在に配される。すなわち、可動ボディ５は、移動時などの格納時、図３に示すように、フロントパネル、リアパネル５ａ（図８に示す）、およびいずれか一方のサイドパネル及びルーフパネルによって固定ボディ４を囲うように格納された状態にある。また、商品の陳列や調理などの展開時、図４に示すように、可動ボディ５は、固定ボディ４から車幅方向の外側にスライドした状態にある。なお、図５は、可動ボディ５のルーフを上げた状態を示す。
【００１９】
前記固定ボディ４と前記可動ボディ５とは車幅の方向に稼働する可動部にて連結される。該可動部は固定ボディ４の内側に設けるレール７と該レール７の長手方向に沿ってスライド可能に設けるスライド部材８とからなる。
【００２０】
即ち、図６乃至図８に示すように、固定ボディ４のフロントパネル４ａ（図２に示す）およびリアパネル４ｂ（図８に示す）の外側に、各々、車幅方向に沿って上下に２本ずつ凹溝状のレール７が平行に延びている。該レール７にはスライド部材８が長手方向に摺動自在に嵌合される。
【００２１】
該スライド部材８は、図７に示すように、可動ボディ５に固定される第１スライド部９と、該第１スライド部９の両側で、前記レール７の側壁７ａ、７ｂとの間に挟持される第２スライド部１０と、前記スライド部材８のストッパとして前記レール７上に突出する停止ピン１１とによって構成される。
【００２２】
前記第１スライド部９は、先端部９ａが拡大されて形成されるとともに、この拡大された先端部９ａが屈曲され、この屈曲された面が連結部９ｂとして前記可動ボディ５の内側に固着される。
【００２３】
前記スライド部材８は、スライド伸長時に前記レール７内に第２スライド部１０の半分長が固定され、また該第２スライド部１０内に第１スライド部９の半分長が固定される。これにより、拡幅時の強度の維持を図る。
【００２４】
図８において、１３は前記可動部におけるリアパネル４ａと可動ボディ５のサイドパネル５ａとの間に生ずる隙間である。
【００２５】
上記により、可動ボディ５が移動すると、図８に示すように、第１スライド部９および第２スライド部１０の車幅方向にスライドし、可動ボディ５が、固定ボディ４に対してスライドするようになっている。その結果、自動車の内部スペースが拡張される。
【００２６】
また、図９に示すように、前記レール７には、凹溝の内側でスライドするスライド部材８が嵌合され、レール７とスライド部材８の間に、スライド用モータ１２の回転軸１３が配される。この回転軸１３の先端には、ピニオンギア１４が取り付けられ、スライド部材８の下面に形成されたラックギア１５に係合して、スライド部材８を車幅方向にスライド可能にする。また、前記スライド用モータ１２は、電気自動車の充電バッテリなどに接続され、移動販売車の停止時など負荷の小さい状態でスライド部材８を駆動するようになっている。また、前記スライド用モータ１２として、電気自動車用の直流モータや油圧モータあるいは加圧エアなどを用いることもできる。
【００２７】
上記した実施例によると、移動販売車の移動などの格納時、可動ボディ５は、固定ボディ４のルーフ６上に載置された状態にある。この状態では、車幅は小さい状態を維持し、例えば屋上のイベント会場に移動する際、エレベータに載せて運ぶことが可能になる。屋上に到着すると、移動販売車を所定の位置に停車し、可動ボディ５を車幅方向にスライドさせると、図２および図４に示すように、車幅が大きくなって、商品の陳列や調理などのスペースを大きく確保することができる。
【００２８】
その際、図示しないスイッチを押すことによって、スライド部材８を自動的に車幅方向の外側にスライドさせることが可能である。この場合、電気自動車の停車時を利用して、その供給電力を有効に活用でき、スイッチを押すだけの簡単な操作でスライド部材８をスライドさせることができる。よって、低コストで、商品の陳列や調理などのスペースを容易かつ迅速に確保することができる。
【００２９】
また、移動販売車を撤収する場合も、スイッチを押すだけで、スライド部材８を車幅方向の内側にスライドさせることができるので、可動ボディ５を容易かつ迅速に格納することができる。
【００３０】
本願発明による移動販売車１は、固定ボディ４と可動ボディ５とが略同形に形成されているため、バランスがよく、拡幅展開時のバランスの維持、展開安定性に資する。本実施例では、固定ボディ４が比較的重量物からなり、可動ボディ５が比較的軽量物からなっていて、固定ボディ４側に図示しない調理設備が設けられ、可動ボディ５側にて商品の販売をする。即ち、可動ボディ５の下面開放部に、開放部を塞ぐ足場１８（図４及び図５に示す）を設置すれば、販売員が該足場１８に立って商品の販売をすることができる。図１及び図２に示す１６は拡幅展開時に開放される窓部であり、開放された扉１７（図２に示す）にて商品の受渡しをする。なお、足場１８は車に積載されている。
【００３１】
本願発明は上記した実施の形態に限定されない。例えば前記実施例では、スライド部材８は、第１および第２スライド部９、１０の２つの部材で構成したが、３以上のスライド部を設けてもよく、各スライド部の大きさに応じてスライド距離を任意に調整することができる。
【００３２】
また、前記スライド用モータとして、電気自動車用の直流モータや油圧モータあるいは加圧エアなどを用いることもできる。
【産業上の利用可能性】
【００３３】
本願発明は、イベント会場などに移動して商品の陳列や調理など、拡大した空間を活用することができる移動販売車として利用可能である。
【符号の説明】
【００３４】
１      移動販売車
２      車輪
３      駆動モータ
４      固定ボディ
４ａ    フロントパネル
４ｂ    リアパネル
５      可動ボディ
５ａ    リアパネル
６      ルーフ
７      レール
７ａ    側壁
７ｂ    側壁
８      スライド部材
９      第１スライド部
９ａ    先端部
９ｂ    連結部
１０    第２スライド部
１１    停止ピン
１２    スライド用モータ
１３    回転軸
１４    ピニオンギア
１５    ラックギア
１６    窓部
１７    扉
１８    足場
【図１】
2019094060.tif 000003
【図２】
2019094060.tif 000004
【図３】
2019094060.tif 000005
【図４】
2019094060.tif 000006
【図５】
2019094060.tif 000007
【図６】
2019094060.tif 000008
【図７】
2019094060.tif 000009
【図８】
2019094060.tif 000010
【図９】
2019094060.tif 000011
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
固定ボディと、前記固定ボディの外側に配された可動ボディと、によって二重構造に形成された車体を備え、前記可動ボディが、フロント、リア、ルーフ及び何れか一方のサイドのパネルによって一体に形成された自動車であって、
前記固定ボディと前記可動ボディとは、車幅の方向に可動する可動部にて連結され、
前記可動部は、前記固定ボディのフロントパネル及びリアパネルの外側に設けられるレールと、前記レールの長手方向に沿ってスライド可能に設けられるスライド部材と、からなり、
前記スライド部材の先端部は、拡大されて形成されており、
前記スライド部材は、拡大された前記先端部にて前記可動ボディに固着されており、
車体格納時に前記可動ボディを前記固定ボディの上に重ねた状態で格納することにより小さな車幅を維持する一方、車体拡開時に前記可動ボディを前記固定ボディに対して車幅方向にスライドさせることにより車幅を拡大して前記自動車の内部スペースを拡大するように構成されている、自動車。
【請求項２】
前記スライド部材は、電気自動車用モータに接続され、前記電気自動車用モータの駆動によって、前記可動ボディを車幅方向にスライドさせる、請求項１に記載の自動車。
【請求項３】
前記スライド部材は、電機自動車用モータとは別に設置される駆動源の駆動によって、前記可動ボディを車幅方向にスライドさせる、請求項１に記載の自動車。